(57)【要約】【課題】不揮発性の第１の記憶手段、第２の記憶手段、揮発性の第３の記憶手段を有する三重化構造とすることで、データの改ざんを効率良く防止する画像処理装置および画像処理装置の情報漏洩防止方法を提供する。【解決手段】コントローラ部２の不揮発性メモリ４と、電池によりバックアップを行うＳＲＡＭ６と、エンジン部３の不揮発性メモリ５とを有し、それぞれに印刷速度設定データを格納する。この印刷速度設定データにより、下位と上位の２つの異なる印刷速度を設定する。コントローラ側のＳＲＡＭ６と、コントローラ側エンジン側双方の不揮発性メモリ５に格納されている印刷速度設定データを比較し、全てのデータが一致した場合のみ上位の印刷速度を有効にする。【選択図】図１
2009000989.tif 000002
【特許請求の範囲】
【請求項１】
不揮発性の第１の記憶手段および第２の記憶手段を有する画像処理装置であって、
揮発性の第３の記憶手段をさらに有し、
前記第１の記憶手段、前記第２の記憶手段および前記第３の記憶手段に格納されている印刷速度設定データを比較し、全てのデータが一致した際に、一致した印刷速度を有効とすることを特徴とする画像処理装置。
【請求項２】
前記第３の記憶手段は、
取り外された際に、格納されている前記印刷速度設定データが消滅する構成であることを特徴とする請求項１に記載の画像処理装置。
【請求項３】
前記印刷速度設定データの比較は、
電源投入時から印刷可能状態への移行時に行うことを特徴とする請求項２に記載の画像処理装置。
【請求項４】
外部の支援サーバとの交信を行う通信手段をさらに有し、
前記第３の記憶手段に前記印刷速度設定データが格納されていない際に、
前記通信手段は、
前記支援サーバから前記印刷速度設定データの取得を行い、
前記第３の記憶手段に前記印刷速度設定データの格納を行うことを特徴とする請求項３に記載の画像処理装置。
【請求項５】
前記取得時に、
前記支援サーバ上に登録されているユーザ情報、機器管理情報をさらに取得し、
取得したユーザ情報、機器管理情報と、
自装置内のユーザ情報、機器管理情報とが一致しない際に、
前記格納を行なわないことを特徴とする請求項４に記載の画像処理装置。
【請求項６】
取り外し可能な識別手段をさらに有し、
前記ユーザ情報は、前記識別手段に格納されていることを特徴とする請求項５に記載の画像処理装置。
【請求項７】
不揮発性の第１の記憶手段、第２の記憶手段および揮発性の第３の記憶手段を有して行う画像処理装置の情報漏洩防止方法であって、
前記第１の記憶手段、前記第２の記憶手段および前記第３の記憶手段に格納されている印刷速度設定データを比較する比較工程を有し、
比較した前記印刷速度設定データが一致した際に、一致した印刷速度を有効とすることを特徴とする画像処理装置の情報漏洩防止方法。
【請求項８】
前記第３の記憶手段が取り外された際に、
格納されている前記印刷速度設定データが消滅することを特徴とする請求項７に記載の画像処理装置の情報漏洩防止方法。
【請求項９】
前記比較工程は、
電源投入時から印刷可能状態への移行時に行う工程であることを特徴とする請求項８に記載の画像処理装置の情報漏洩防止方法。
【請求項１０】
外部の支援サーバとの交信を行う通信工程をさらに有し、
前記第３の記憶手段に前記印刷速度設定データが格納されていない際に、
前記通信工程は、
前記支援サーバから前記印刷速度設定データの取得を行い、
前記第３の記憶手段に前記印刷速度設定データの格納を行うことを特徴とする請求項９に記載の画像処理装置の情報漏洩防止方法。
【請求項１１】
前記通信工程は、
前記取得時に、
前記支援サーバ上に登録されているユーザ情報、機器管理情報をさらに取得し、
取得したユーザ情報、機器管理情報と、
自装置内のユーザ情報、機器管理情報とが一致しない際に、
前記格納を行なわないことを特徴とする請求項１０に記載の画像処理装置の情報漏洩防止方法。
【発明の詳細な説明】
【技術分野】
【０００１】
本発明は、印刷情報、機器情報、ユーザ情報等の情報の漏洩を防止する画像処理装置および画像処理装置の情報漏洩防止方法に関する。
【背景技術】
【０００２】
近年、情報の電子化が推進され、電子化された情報の出力に用いられるプリンタやファクシミリ、書類の電子化に用いるスキャナ等の画像処理装置は欠かせない。
【０００３】
現在、エンジン側とコントローラ側の双方に不揮発性メモリが搭載され、これらの不揮発性メモリに書き込まれている印刷速度設定データが一致した場合、設定された印刷速度により起動し、一致しなかった場合は起動しないようになっている。
【０００４】
同一機種でこの印刷速度設定データを変えることにより、上位機種（高速機）と下位機種（低速機）を分け、異なった価格で提供している。
【０００５】
エンジン側の不揮発性メモリに記憶される印刷速度設定データは外部から設定が可能で容易に変更することができる。一方、コントローラ側の不揮発性メモリに搭載された印刷速度設定データは容易に書き換えることはできないが、ボード上から不揮発性メモリを取り外し、データコピーを行うことでデータ偽造を行うことができなくない。これらの手法により下位機種を上位機種として不正使用されるという可能性、問題点がある。
【０００６】
上述した背景に関連する技術を次に開示する。
【０００７】
特許文献１に開示の技術では、デジタルスキャナ装置は、装置毎に異なる固有の特性値が記録され着脱可能に取着されたスキャナ用不揮発記録媒体を具備し、デジタルプリンタ装置は、装置毎に異なる固有の特性値が記録されたメモリ領域と、スキャナ用不揮発記録媒体の情報を格納するメモリ領域とを有するプリンタ用不揮発記録媒体を備えると共にスキャナ用不揮発記録媒体の情報をメモリ領域に格納し、夫々の情報に基づいてデジタルプリンタ装置と、デジタルスキャナ装置とを統括制御する制御部を具備し、スキャナ用不揮発記録媒体をデジタルスキャナ装置から取り外して再利用し、所要のデータが記録された記録媒体を再利用可能とし、または、安価な記録媒体でもって、経済的に貢献できる画像形成装置が提案されている。
【０００８】
特許文献２に開示の技術では、ＲＯＭに記憶されている紙質ごとの画質調整パラメータは、温度と湿度とのマトリクスによってそれぞれ設定され、紙質ごとに個別に設けられている。ＮＶＭには、画像形成装置が設置された場所において、自動的に変更されるデータと、自動的には変更されないデータとが記憶され、ＮＶＭの自動的に変更されるデータは、選択された１つの用紙の紙質に対応する１６通りの画質調整パラメータであり、制御回路によって画質調整パラメータの変更が必要であると判定されると、選択された紙質に対応するＮＶＭの画質調整パラメータが自動的に更新されることにより、パラメータを容易に変更する画像形成装置が提案されている。
【特許文献１】特開２００２−３１４７３９号公報
【特許文献２】特開２００４−３３３７８０号公報
【発明の開示】
【発明が解決しようとする課題】
【０００９】
しかし、従来に係る装置において、不揮発性メモリのみによる印刷速度設定データの保存では基板から不揮発性メモリを取り外しても内部のデータは保持され、これを解析、コピーされ、データの改ざん、偽造が行われる可能性がある。
【００１０】
同一機種の装置で印刷速度の違いにより価格を分けている装置があるため、印刷速度設定データをコピー、偽造されてしまうと多大な損害をこうむることになる。
【００１１】
そこで本発明は、不揮発性の第１の記憶手段、第２の記憶手段および揮発性の第３の記憶手段を有する三重化構造で、データの改ざんを防止する画像処理装置および画像処理装置の情報漏洩防止方法の提供を目的とする。
【課題を解決するための手段】
【００１２】
上記の目的を達成するため、請求項１に記載の発明は、不揮発性の第１の記憶手段および第２の記憶手段を有する画像処理装置であって、揮発性の第３の記憶手段をさらに有し、前記第１の記憶手段、前記第２の記憶手段および前記第３の記憶手段に格納されている印刷速度設定データを比較し、全てのデータが一致した際に、一致した印刷速度を有効とする画像処理装置であることを特徴とする。
【００１３】
請求項２に記載の発明は、請求項１に記載の画像処理装置において、前記第３の記憶手段は、取り外された際に、格納されている前記印刷速度設定データが消滅する構成であることを特徴とする。
【００１４】
請求項３に記載の発明は、請求項２に記載の画像処理装置において、前記印刷速度設定データの比較は、電源投入時から印刷可能状態への移行時に行うことを特徴とする。
【００１５】
請求項４に記載の発明は、請求項３に記載の画像処理装置において、外部の支援サーバとの交信を行う通信手段をさらに有し、前記第３の記憶手段に前記印刷速度設定データが格納されていない際に、前記通信手段は、前記支援サーバから前記印刷速度設定データの取得を行い、前記第３の記憶手段に前記印刷速度設定データの格納を行うことを特徴とする。
【００１６】
請求項５に記載の発明は、請求項４に記載の画像処理装置において、前記取得時に、前記支援サーバ上に登録されているユーザ情報、機器管理情報をさらに取得し、取得したユーザ情報、機器管理情報と、自装置内のユーザ情報、機器管理情報とが一致しない際に、前記格納を行わないことを特徴とする。
【００１７】
請求項６に記載の発明は、請求項５に記載の画像処理装置において、取り外し可能な識別手段をさらに有し、前記ユーザ情報は、前記識別手段に格納されていることを特徴とする。
【００１８】
請求項７に記載の発明は、不揮発性の第１の記憶手段、第２の記憶手段および揮発性の第３の記憶手段を有して行う画像処理装置の情報漏洩防止方法であって、前記第１の記憶手段、前記第２の記憶手段および前記第３の記憶手段に格納されている印刷速度設定データを比較する比較工程を有し、比較した前記印刷速度設定データが一致した際に、一致した印刷速度を有効とする画像処理装置の情報漏洩防止方法であることを特徴とする。
【００１９】
請求項８に記載の発明は、請求項７に記載の画像処理装置の情報漏洩防止方法において、前記第３の記憶手段が取り外された際に、格納されている前記印刷速度設定データが消滅することを特徴とする。
【００２０】
請求項９に記載の発明は、請求項８に記載の画像処理装置の情報漏洩防止方法において、前記比較工程は、電源投入時から印刷可能状態への移行時に行う工程であることを特徴とする。
【００２１】
請求項１０に記載の発明は、請求項９に記載の画像処理装置の情報漏洩防止方法において、外部の支援サーバとの交信を行う通信工程をさらに有し、前記第３の記憶手段に前記印刷速度設定データが格納されていない際に、前記通信工程は、前記支援サーバから前記印刷速度設定データの取得を行い、前記第３の記憶手段に前記印刷速度設定データの格納を行うことを特徴とする。
【００２２】
請求項１１に記載の発明は、請求項１０に記載の画像処理装置の情報漏洩防止方法において、前記通信工程は、前記取得時に、前記支援サーバ上に登録されているユーザ情報、機器管理情報をさらに取得し、取得したユーザ情報、機器管理情報と、前記自装置内のユーザ情報、機器管理情報とが一致しない際に、前記格納を行わないことを特徴とする。
【発明の効果】
【００２３】
本発明によれば、不揮発性の第１の記憶手段、第２の記憶手段および揮発性の第３の記憶手段を有する三重化構造とすることで、データの改ざんを効率良く防止することができる画像処理装置および画像処理装置の情報漏洩防止方法を提供することが可能となる。
【発明を実施するための最良の形態】
【００２４】
以下に本発明に係る画像処理装置が発明に至るまでの過程、実現される画像処理装置の好適な態様、その態様で行う好適な実施について説明する。
以下に示す全ての用語は、その要旨を逸脱しない範囲内において当業者が修正や代用を行い、種々の変更を施し、構築することを可能とする。
【００２５】
近年、画像処理装置において、機器固有の機能を提供する設定データを記憶するためにエンジン部に不揮発性メモリであるＥＥＰＲＯＭやＦＲＡＭが搭載され、同一のハードウェア、ソフトウェアの構成を用い、これらの設定情報記憶用メモリに画像処理装置の印刷速度設定データを書き込むことで同一機種で異なる印刷速度を設定することができる。
【００２６】
現在、画像処理装置のエンジン部の不揮発性メモリに記載された印刷速度設定データと、コントローラ（制御部）の不揮発性メモリに記載された印刷速度設定データの双方をチェックし、データが一致した場合のみ起動するようになっている。
【００２７】
エンジン部に搭載されている不揮発性メモリのデータは外部から設定することができるため、容易に書き換えが可能である。
【００２８】
また、コントローラ側の不揮発性メモリは、容易に書き換えることはできないが、ＰＣＢ（電装基板）上から不揮発性メモリを取り外し、データコピーを行うことで印刷速度設定データが改ざんされる可能性がある。
【００２９】
本発明に係る画像処理装置においては、同じ装置であっても、不揮発性メモリに記憶された印刷速度情報を書き換えるだけで速度が異なる機種対応ができるものである。
【００３０】
そのため当該情報のコピーにより別の装置の速度アップを可能にできてしまう。
【００３１】
従来は、エンジンとコントローラの不揮発性メモリにそれぞれ印刷速度情報を記憶して両方の情報が一致したときのみ設定速度での装置の起動を可能にすることによって一方のコピーのみでは速度アップできないようにしていた。
【００３２】
しかし、そのことに気付けば２つの不揮発性メモリをコピーするだけで速度アップできてしまう。また、不揮発性メモリは基板からはずしてもデータを保持するため、はずしてコピーするのが容易である。
【００３３】
そこで本発明に係る画像処理装置の提供は、上述した不正な情報入手を防止することを目的の１つとして実現される。
【００３４】
本発明に係る画像処理装置の好適な態様について説明する。
以下に示す態様は、好適な一例であって、その要旨を逸脱しない範囲内において当業者が修正や代用を行い、種々の変更を施し、構築することを可能とする。
以下に示す態様は、好適な一例として、画像処理装置は、エンジン部と、全体を制御する制御部とを有する構成とする。
以下に示す態様は、好適な一例として、第３の記憶手段は、制御部側に設ける。
以下に示す態様は、好適な一例として、第３の記憶手段は、電池によるバックアップ機能を備えた揮発性メモリであるＳＲＡＭとする。
【００３５】
本発明に係る画像処理装置の第１の態様は、以下の特徴を有する。
コントローラ側に電池によるバックアップ機能を備えた揮発性メモリであるＳＲＡＭを搭載し、このＳＲＡＭとコントローラ側の不揮発性メモリの双方に印刷速度設定データを格納しておき、これらコントローラ側のＳＲＡＭと、コントローラ側エンジン側双方の不揮発性メモリに格納されている印刷速度設定データを比較し、全てのデータが一致した場合のみ上位の印刷速度を有効にする。
上記構成によれば、不揮発性メモリのみによる印刷速度設定データの保存では前述のように、データの改ざん、偽造が行われる可能性があるが、コントローラ側に電池によるバックアップ機能を備えた揮発性メモリであるＳＲＡＭを搭載し、このＳＲＡＭとコントローラ側の不揮発性メモリの双方に印刷速度設定データを格納しておき、これらコントローラ側のＳＲＡＭと、コントローラ側エンジン側双方の不揮発性メモリに格納されている印刷速度設定データを比較し、全てのデータが一致した場合のみ上位の印刷速度を有効にすることで、設定データの改ざん偽造の防止を行うことができる。
【００３６】
本発明に係る画像処理装置の第２の態様は、以下の特徴を有する。
不揮発性メモリはたとえボード上からはがされたとしても内部のデータを保持しているため、コピー偽造が可能になる。それに対し第１の態様に係る画像処理装置におけるＳＲＡＭは、電池によりデータを保持しているため、ボード上から剥がされた時点で内部のデータは消失する。
上記構成によれば、第１の態様に係る画像処理装置におけるＳＲＡＭは、電池によりデータを保持している揮発性メモリのため、ボード上から剥がされた時点で内部のデータは消失する。これにより、ボード上からメモリをはがしとり、データコピー、改ざん、偽造が行われることを防止することができる。
【００３７】
本発明に係る画像処理装置の第３の態様は、以下の特徴を有する。
第１の態様に係る画像処理装置における印刷速度設定データの比較は起動時のみ行うが、電源投入から印刷可能状態になるまでは下位の印刷速度で起動し、印刷可能状態へ移行した後に印刷速度設定データの比較を行う。
上記構成によれば、第１の態様に係る画像処理装置における印刷速度設定データの比較は起動時のみ行うが、電源投入から印刷可能状態になるまでは下位の印刷速度で起動し、印刷可能状態へ移行した後に印刷速度設定データの比較などの動作を行うことで、起動時間を短縮することができる。
【００３８】
本発明に係る画像処理装置の第４の態様は、以下の特徴を有する。
第１の態様に係る画像処理装置において、記録された設定データは故意にＳＲＡＭをＰＣＢ上から剥がした時以外にも消える可能性がある。（例：まれではあるがバックアップ用の電池が切れたとき、ＰＣＢ不良などによりサービスマンによるＰＣＢ交換が発生したとき等）このように、本発明に係る画像処理装置におけるＳＲＡＭ内に印刷速度設定データが書き込まれていない場合、ネットワークインターフェースを経由して接続される支援サーバからリモート経由でＳＲＡＭに格納する印刷速度設定データを取得する。
上記構成によれば、第１の態様に係る画像処理装置におけるＳＲＡＭ内に印刷速度設定データが書き込まれていない場合、ネットワークインターフェースを経由して接続される支援サーバからリモート経由でＳＲＡＭに格納する印刷速度設定データを取得することで、ＳＲＡＭのデータが消失してしまった場合などにも画像形成装置の本来の機能を回復することができる。
【００３９】
本発明に係る画像処理装置の第５の態様は、以下の特徴を有する。
第４の態様に係る画像処理装置において、ＳＲＡＭへのデータ取得を行う際、画像形成装置内のユーザ情報、機器管理情報と支援サーバ上に登録されているユーザ情報、機器管理情報が一致しない場合、ＳＲＡＭへのデータ格納を禁止する。
上記構成によれば、第４の態様に係る画像処理装置におけるＳＲＡＭへのデータ取得を行う際、画像形成装置内のユーザ情報、機器管理情報と支援サーバ上に登録されているユーザ情報、機器管理情報を比較、一致することを確認することで、ユーザ情報、機器管理情報の改ざん、偽造による不正利用を防止することができる。
【００４０】
本発明に係る画像処理装置の第６の態様は、以下の特徴を有する。
第４の態様に係る画像処理装置におけるユーザ情報（個人ＩＤなど）はＳＩＭカード（ＩＣチップ搭載の小型カード）上に記録することにより、機器故障などによりコントローラボードを交換する必要が生じた際にもＳＩＭ（Subscriber  Identity  Module  card）カードを付け替える。
上記構成によれば、第５の態様に係る画像処理装置におけるユーザ情報（個人ＩＤなど）はＳＩＭカード（ＩＣチップ搭載の小型カード）上に記録することにより、機器故障などによりコントローラボードを交換する必要が生じた際にもＳＩＭカードを付け替えることで継続して本来の機能を利用することができる。
【実施例】
【００４１】
上述した態様を有する画像処理装置について実施を行う実施例について詳細に説明する。
なお、本実施例は、好適な実施を示す一例であって、これに限定されることはなく、趣旨を逸脱しない範囲内において、また、当業者が容易に発想できる範囲内において、変形実施可能とする。
以下に示す本発明に係る画像処理装置は、好適な一例として、エンジン部と、全体を制御する制御部とを有し、プリンタ、ＦＡＸ，複写機、それらの複合機能を有する複写装置を画像形成装置として扱う。
【００４２】
本発明に係る画像処理装置を好適に実施する実施例について説明する。
【００４３】
第１の実施例について図１、図２を用いて説明する。
図１は、本発明に係る画像処理装置をエンジン部と、全体を制御する制御部とを有し、画像形成装置とした構成の一例を示す図である。
図２は、上記の画像形成装置において、実施を行う一例を示すフローチャートである。
【００４４】
図１に示すように、画像形成装置１は、コントローラ部２の不揮発性メモリ４（第１の記憶手段）と、電池によりバックアップを行うＳＲＡＭ６（第３の記憶手段）と、エンジン部３の不揮発性メモリ５（第２の記憶手段）とを有し、それぞれに印刷速度設定データを格納する。
【００４５】
画像形成装置１は、この印刷速度設定データにより、下位と上位の２つの異なる印刷速度を設定する。
【００４６】
上位の印刷速度設定とは、自装置に格納されている全ての印刷速度が一致した場合に、一致した速度で印刷を行う上位の印刷速度設定である。
下位の印刷速度設定とは、上位の印刷速度以外で印刷を行う印刷速度設定である。
【００４７】
コントローラ２側に電池によるバックアップ機能を備えた揮発性メモリであるＳＲＡＭ６を搭載し、このＳＲＡＭ６と、コントローラ２側の不揮発性メモリ５の双方に印刷速度設定データを格納している。
【００４８】
コントローラ側のＳＲＡＭ６と、コントローラ側エンジン側双方の不揮発性メモリ５に格納されている印刷速度設定データを比較し、全てのデータが一致した場合のみ上位の印刷速度を有効にする。
【００４９】
不揮発性メモリ５のみによる印刷速度設定データの保存では前述のように、データの改ざん、偽造が行われる可能性がある。
コントローラ２側に電池によるバックアップ機能を備えた揮発性メモリであるＳＲＡＭ６を搭載し、このＳＲＡＭ６と、コントローラ２、エンジン３の不揮発性メモリ５とに印刷速度設定データを格納しておき、印刷速度設定データを比較し、全てのデータが一致した場合のみ上位の印刷速度を有効にすることで、設定データの改ざん偽造の防止を行うことができる。
【００５０】
不揮発性メモリ５は、ボード上から剥がされたとしても内部のデータを保持しているため、コピー偽造が可能になる。
【００５１】
ＳＲＡＭ５は、電池によりデータを保持しているため、ボード上から剥がされた時点で格納されている前記印刷速度設定データが消滅する。
【００５２】
コントローラ２に搭載されている識別手段としてのＳＩＭカード８は、利用者識別用ＩＣカードであり、ユーザ情報９を格納している。
【００５３】
通信手段としてのＮＩＣ（ネットワークインターフェースカード）７は、ネットワークを経由して、支援サーバ１０と接続し、印刷速度設定データの取得を行う。
【００５４】
次に上述した構成において、処理を行う一例について説明する。
【００５５】
図２に示すように、ユーザが電源を入れると、まず画像形成装置１は、まず下位の印刷速度設定で起動を行う（ステップＳ１０１）。
【００５６】
これにより、ユーザが操作可能な状態（「コピーできます」の表示）になり、起動を完了する（ステップＳ１０２）。
【００５７】
ステップＳ１０２の処理後、操作可能状態に移行し、コントローラ部２のＳＲＡＭ６内に印刷速度設定データが格納されているかの確認が行われる（ステップＳ１０３）。
【００５８】
印刷速度設定データが格納されていた場合（ステップＳ１０３／ＹＥＳ）、ＳＲＡＭ６と、コントローラ側の不揮発性メモリ４に格納されている印刷速度設定データを比較し、一致しているか否かの確認が行われる（ステップＳ１０４）。
【００５９】
印刷速度設定データが格納されていない場合（ステップＳ１０３／ＮＯ）、ネットワーク経由Ｉ／Ｆ経由で支援サーバへ接続を行う（ステップＳ１０８）。
【００６０】
データが一致した場合（ステップＳ１０４／ＹＥＳ）、さらにＳＲＡＭ６と、エンジン側の不揮発性メモリ５とに格納されている印刷速度設定データの比較し、一致しているか否かの確認が行われる（ステップＳ１０５）。
【００６１】
ステップＳ１０４の処理で、ここでデータが一致しなかった場合（ステップＳ１０４／ＮＯ）、下位の印刷速度設定のまま動作を継続する（ステップＳ１０７）。
【００６２】
ステップＳ１０５の処理で、ここでデータが一致しなかった場合、下位の印刷速度設定のまま動作を継続する（ステップＳ１０７）。
【００６３】
ステップＳ１０５の処理で、データが一致した場合（ステップＳ１０５／ＹＥＳ）、ＳＲＡＭ６、不揮発性メモリ４、不揮発性メモリ５の全ての印刷速度設定データが一致したことになり、上位の印刷速度設定が有効になる（ステップＳ１０６）。
【００６４】
ステップＳ１０３の処理で、ＳＲＡＭ６内に印刷速度設定データが格納されていなかった場合（ステップＳ１０３／ＮＯ）、画像形成装置１は、ネットワークインターフェースカード７（以下ＮＩＣ）を経由して接続されている支援サーバ１０から印刷速度設定データの取得を行う。
【００６５】
まず、支援サーバ１０と接続を行う（ステップＳ１０８）。
【００６６】
次に、画像形成装置１の機器管理情報とコントローラ部２上に搭載されたＳＩＭカード８（使用者識別用ＩＣカード）に記録されているユーザ情報９が、支援サーバ１０に登録されている機器管理情報、ユーザ情報と一致するか認証を行う（ステップＳ１０９）。
【００６７】
ここで機器管理情報、ユーザ情報が一致しなかった場合（ステップＳ１０９／ＮＯ）、ＳＲＡＭ６への印刷速度設定データの取得は不可能となり、画像形成装置１は、下位の印刷速度設定の動作しかできないこととなる（ステップＳ１１１）。
【００６８】
機器管理情報、ユーザ情報が一致した場合（ステップＳ１０９／ＹＥＳ）、支援サーバ１０から印刷速度設定データを取得し、ＳＲＡＭ６へ格納する（ステップＳ１１０）。
【００６９】
ステップＳ１１０の処理で、ＳＲＡＭ６へ印刷速度設定データが格納された後、ステップＳ１０４の処理における、ＳＲＡＭ６に格納されているデータと、不揮発性メモリ４に格納されているデータとのデータ比較プロセスへ移る。
【００７０】
本実施例によれば、印刷可能状態へ移行した後に印刷速度設定データの比較などの動作を行うことで、起動時間を短縮することができる。
【００７１】
また、ＳＲＡＭ内に印刷速度設定データが書き込まれていない場合において、ネットワークインターフェースを経由して接続される支援サーバからリモート経由でＳＲＡＭに格納する印刷速度設定データを取得することで、ＳＲＡＭのデータが消失してしまった場合などにも画像形成装置の本来の機能を回復することができる。
【００７２】
また、ＳＲＡＭへのデータ取得を行う際、画像形成装置内のユーザ情報、機器管理情報と支援サーバ上に登録されているユーザ情報、機器管理情報を比較、一致することを確認することで、ユーザ情報、機器管理情報の改ざん、偽造による不正利用を防止することができる。
【００７３】
さらに、ユーザ情報（個人ＩＤなど）はＳＩＭカード（ＩＣチップ搭載の小型カード）上に記録することにより、機器故障などによりコントローラボードを交換する必要が生じた際にもＳＩＭカードを付け替えることで継続して本来の機能を利用することができる。
【図面の簡単な説明】
【００７４】
【図１】本発明に係る画像処理装置を応用した構成の一例を示す図である。
【図２】本発明に係る画像処理装置を応用した構成において、処理を行うフローチャートである。
【符号の説明】
【００７５】
１    画像形成装置
２    コントローラ
３    エンジン
４、５    不揮発性メモリ
６    ＳＲＡＭ
７    ＮＩＣ
８    ＳＩＭカード
９    ユーザ情報
１０    支援サーバ
【図１】
2009000989.tif 000003
【図２】
2009000989.tif 000004